(57)【要約】【課題】  本発明は、たとえば、界床と界壁からなる躯体部によって各戸が仕切られている建物の遮音構造に関するものである。【解決手段】  前記界壁には、化粧板の取り付け、または壁紙等を貼るための石膏ボードが設けられている。前記石膏ボードは、前記界床に取り付ける際に、上下端部の少なくとも一方がスポンジを介して界床に固定されている。従来、界壁とともに界床によって支えられている石膏ボードから界床の振動が直接伝わる構造となっていたが、本発明は、上下階の振動音が壁側に伝わるのを防ぐために、前記石膏ボードの上下端部の少なくとも一方にスポンジを介して界床に取り付けることにより、遮音性を向上させることができた。【選択図】  図１
2006063727.tif 000002
【特許請求の範囲】
【請求項１】
界床と界壁からなる躯体部によって各戸が仕切られている建物の遮音構造において、
前記界壁に対して設けられた石膏ボードは、上下端部の少なくとも一方がスポンジを介して界床に固定されていることを特徴とする建物用遮音構造。
【請求項２】
前記スポンジは、界床との間に金具を介して取り付けられていることを特徴とする請求項１に記載された建物用遮音構造。
【請求項３】
前記金具は、Ｌ型であり、高さ方向の長さがスポンジの厚さより短くなっていることを特徴とする請求項２に記載された建物用遮音構造。
【請求項４】
前記スポンジは、厚さが１０ｍｍから２５ｍｍ、圧縮応力が０．０８ＭＰａから０．９５ＭＰａ、歪率が５０％から８０％の特性を有することを特徴とする請求項１から請求項３のいずれか１項に記載された建物用遮音構造。
【発明の詳細な説明】
【技術分野】
【０００１】
本発明は、たとえば、界床と界壁からなる躯体部によって各戸が仕切られている建物の遮音構造に関するものである。また、本発明は、界床と界壁用の石膏ボードを介して伝達される振動を無くした建物用遮音構造に関するものである。前記本明細書において、「各戸」なる記載は、集合住宅における各戸、および一戸建ての場合の各戸または部屋を意味する。
【背景技術】
【０００２】
図３は従来例における界床と界壁からなる躯体部によって各戸が仕切られている建物を説明するための概念図である。図３において、各部屋（戸）は、界床１１と界壁１２からなる躯体部により仕切られている。界床１１の上部には、床材１３と遮音シート１４が設けられている。界床１１の下には、天井裏１５を介して石膏ボード１７および天井材１８が設けられている。さらに、前記天井裏１５には、各種配管とロックウール１６等が敷かれている。また、界壁１２は、ロックウールおよび／またはグラスウールが埋め込まれている。
【０００３】
界壁１２の側部には、二枚重ねにした石膏ボード２１、石膏ボード１９と、前記石膏ボード１９上に貼られた壁紙２０とが設けられている。階上の音は、床材１３、遮音シート１４、界床１１、天井裏１５の空間、ロックウール１６、石膏ボード１７、天井材１８を介して階下に伝達される。前記上階の音は、前記各素材を改良することで、ある程度低下することができるようになった。また、各戸どうしの音は、壁紙２０′、石膏ボード１９′、石膏ボード２１′、界壁１２、石膏ボード２１、石膏ボード１９、壁紙２０を介して隣の部屋（戸）に伝達される。
【０００４】
また、特開２００４−８４２２１号公報における間仕切り壁構造およびその施行方法は、石膏ボードと石膏ボードとの間に千鳥状の断熱材を入れて隣合った部屋（戸）の音を遮音している。前記隣合った部屋（戸）における遮音は、前記公報に記載されているように、石膏ボード自体に遮音効果を持たせたものが多い。
【特許文献１】特開２００４−８４２２１号公報
【発明の開示】
【発明が解決しようとする課題】
【０００５】
上下階あるいは隣合った部屋（戸）において、互いに伝達される音は、幾種類もの建材を介している。しかし、壁側の石膏ボード１９、１９′は、界床１１に上下端部が直接接しているため、上階の音が壁側の石膏ボード１９″、界床１１、石膏ボード１９を介して階下に伝達されるという欠点を有している。また、前記構造に基づく音は、石膏ボードの間に遮音材を入れても無くなるものではない。
【０００６】
以上の課題を解決するために、本発明は、界床と壁側石膏ボードを介して伝達される音を遮音するための建物用遮音構造を提供することを目的とする。また、本発明は、界床と壁側石膏ボードの上端部との間に音を遮断する部材を介在させることにより、上下方向の音を遮音する建物用遮音構造を提供することを目的とする。
【課題を解決するための手段】
【０００７】
（第１発明）
第１発明の建物用遮音構造は、界床と界壁からなる躯体部によって各戸が仕切られており、前記界壁に対して設けられた石膏ボードが上下端部の少なくとも一方にスポンジを介して界床に固定されていることを特徴とする。
【０００８】
（第２発明）
第２発明の建物用遮音構造は、第１発明のスポンジが界床との間に金具を介して取り付けられていることを特徴とする。
【０００９】
（第３発明）
第３発明の建物用遮音構造は、第２発明の金具がＬ型であり、高さ方向の長さがスポンジの厚さより短くなっていることを特徴とする。
【００１０】
（第４発明）
第４発明の建物用遮音構造は、第１発明から第３発明のスポンジの厚さが１０ｍｍから２５ｍｍ、圧縮応力が０．０８ＭＰａから０．９５ＭＰａ、歪率が５０％から８０％の特性を有することを特徴とする。
【発明の効果】
【００１１】
本発明によれば、壁側石膏ボードの上下端部の少なくとも一端にスポンジを介して界床に取り付けられるため、界床の振動が前記スポンジに吸収され、壁側石膏ボードから振動が隣り合った部屋（戸）に伝達されない。
【００１２】
本発明によれば、前記スポンジは、Ｌ型金具を介して界床に取り付けられるため、前記スポンジあるいは壁側石膏ボードの取り付けが容易であると同時に、階上の音が壁側石膏ボードを介して階下の部屋（戸）に伝達されない。
【００１３】
本発明によれば、前記Ｌ型金具は、一方を前記スポンジの厚さより短くすることで、界床、Ｌ型金具、壁側石膏ボードを介して音が階下の部屋（戸）に伝達されることがない。
【００１４】
本発明によれば、前記スポンジの厚さ、圧縮応力、歪率が所定の範囲のものを使用することにより、なお一層各部屋（戸）の音を遮音することができる。
【発明を実施するための最良の形態】
【００１５】
（第１発明）
第１発明の建物用遮音構造は、界床と界壁からなる躯体部によって各戸が仕切られている建物にかかるものである。前記界壁には、化粧板の取り付け、または壁紙等を貼るための石膏ボードが設けられている。前記石膏ボードは、前記界床に取り付ける際に、上下端部の少なくとも一方がスポンジを介して界床に固定される。
【００１６】
前記建物において、上下方向の音は、床材に遮音性を持たせたり、あるいは天井裏にロックウールを敷くことにより、ある程度抑えることができる。本出願人は、従来、界壁とともに界床によって支えられている石膏ボードから界床の振動が直接伝わる構造となっていたため、壁側から上下階の音が漏れて来ることに気付いた。そこで、本発明は、前記石膏ボードの上下端部の少なくとも一方をスポンジを介して界床に取り付けることにより、遮音性を向上させることができた。
【００１７】
（第２発明）
第２発明の建物用遮音構造は、前記石膏ボードと前記スポンジの界床に対する取り付けにおいて、少なくとも一方が高所作業になるため、第１発明のスポンジを予め取り付けた金具を界床に取り付けた後に、前記石膏ボードを嵌入するようにする。
【００１８】
（第３発明）
第３発明の建物用遮音構造は、第２発明の金具をＬ型にし、高さ方向の長さをスポンジの厚さより短くする。前記金具の構造は、前記石膏ボードが前記金具を介して躯体部である界壁に直接接触することがないため、遮音効果を向上させることができる。
【００１９】
（第４発明）
第４発明の建物用遮音構造は、第１発明から第３発明のスポンジの特性を規定している。第１発明から第３発明のスポンジは、厚さが１０ｍｍから２５ｍｍであり、圧縮応力が０．０８ＭＰａから０．９５ＭＰａ、歪率が５０％から８０％の特性を有し、界床と石膏ボードの端部との間に介在させることにより、遮音効果をより向上させることができた。
【実施例１】
【００２０】
図１は本発明の実施例で、界床と界壁からなる躯体部によって各部屋（戸）が仕切られている建物の遮音構造を説明するための概念図である。図２は本発明の実施例で、図１の一部拡大図である。図１および図２において、各部屋（戸）は、界床１１と界壁１２からなる躯体部により仕切られている。界床１１の上部には、床材１３と遮音シート１４とが設けられている。界床１１の下には、天井裏１５を介して石膏ボード１７および天井材１８が設けられている。さらに、前記天井裏１５には、各種配管とロックウール１６が敷かれている。
【００２１】
界壁１２の両側部には、石膏ボード２１、２１′を介して石膏ボード１９、１９′と、前記石膏ボード１９、１９′上に壁紙２０、２０′が設けられている。また、たとえば、図２に示されているように、前記石膏ボード１９の上端部１９１には、界床１１との間にスポンジ２３が介在されている。また、Ｌ型金具２２は、ネジ２４により界床１１に取り付けられている。前記スポンジ２３は、予めＬ型金具２２に接着剤等により取り付けた後、界床１１に取り付けられる。
【００２２】
前記Ｌ型金具２２、２２′の一方２２１は、前記スポンジ２３、２３′の厚さより短くすることが望ましい。前記Ｌ型金具２２、２２′の一方２２１が前記スポンジ２３、２３′の厚さより長い場合、階上の音が界床１１、Ｌ型金具２２、２２′、石膏ボード１９、１９′を介して階下に伝達される恐れがある。
【００２３】
前記スポンジ２３、２３′は、たとえば、厚さ１０ｍｍ、１５ｍｍ、２０ｍｍ、２５ｍｍとして、その時の圧縮応力がそれぞれ０．０８ＭＰａ、０．２５ＭＰａ、０．５４ＭＰａ、０．９５ＭＰａ、歪率がそれぞれ５０％、６７％、７５％、８０％であるものを使用した場合、本発明の目的である大きな遮音効果を発揮した。
【００２４】
前記石膏ボード１９は、予めＬ型金具２２を介して界床１１に取り付けられているスポンジ２３に対して上端部１９１を嵌入する。前記スポンジ２３の下面は、前記上端部１９１により陥没部２３１となり、前記石膏ボード１９の上端部１９１が嵌合し、固定される。
【００２５】
階上の音は、床材１３、Ｌ型金具２２、スポンジ２３、石膏ボード１９に伝達されるが、ほとんどが前記スポンジ２３に吸収される。また、階上の音は、遮音シート１４、界床１１、天井裏１５の空間、ロックウール１６、石膏ボード１７、天井材１８を介して階下に伝達される。さらに、隣合った部屋（戸）の音は、壁紙２０′、石膏ボード１９′、石膏ボード２１′、界壁１２、石膏ボード２１、石膏ボード１９、壁紙２０を介して隣の部屋（戸）に伝達される。
【産業上の利用可能性】
【００２６】
以上、本実施例を詳述したが、本発明は、前記本実施例に限定されるものではない。そして、本発明は、特許請求の範囲に記載された本発明を逸脱することがなければ、種々の設計変更を行うことが可能である。本発明は、たとえば、鉄骨系プレハブアパートのような建築物に適用することで、一層の効果を発揮する。また、本発明の躯体部および石膏ボード等の構造は、発明を理解し易いように概念が示されている。したがって、前記躯体部等の構造は、実施例に限定されるものではなく、通常使用されている態様のものに適用される。
【図面の簡単な説明】
【００２７】
【図１】本発明の実施例で、界床と界壁からなる躯体部によって各部屋（戸）が仕切られている建物の遮音構造を説明するための概念図である。（実施例１）
【図２】図２は本発明の実施例で、図１の一部拡大図である。
【図３】従来例における界床と界壁からなる躯体部によって各部屋（戸）が仕切られている建物を説明するための概念図である。
【符号の説明】
【００２８】
１１・・・界床
１２・・・界壁
１３・・・床材
１４・・・遮音シート
１５・・・天井裏
１６・・・ロックウール
１７・・・石膏ボード
１８・・・天井材
１９、１９′・・・石膏ボード
１９１・・・上端部
２０、２０′・・・壁紙
２１、２１′・・・石膏ボード
２２、２２′・・・Ｌ型金具
２２１・・・Ｌ型金具の高さ方向の長さ（Ｌ型金具の一方）
２２２・・・ネジ孔
２３、２３′・・・スポンジ
２３１・・・陥没部
２４、２４′・・・ネジ
【図１】
2006063727.tif 000003
【図２】
2006063727.tif 000004
【図３】
2006063727.tif 000005